(57)【特許請求の範囲】
【請求項１】
内容液の充填空間を有する減容変形可能な内層体と、
上部開口を有する口部を有し前記内層体を内側に納めるとともに該内層体との相互間に空気を導入する外気導入孔を有する外層体と、
前記上部開口を覆うとともに前記充填空間につながる連通口を有する隔壁と、
前記連通口を閉鎖する一方、前記外層体への押圧に伴う前記充填空間への加圧にて該連通口を開放する逆止弁と、
前記口部の上部に設けられ、前記連通口から注出させた内容液を収容するとともに上方に注出口を有する計量室と、
前記隔壁との間で前記計量室を形成する筒状壁を有するとともに前記口部に装着される計量部材と、
前記注出口を取り囲んで起立する注出筒を有する注出栓と、
前記注出栓を覆い隠して前記計量部材に装着されるオーバーキャップと、を備える二重容器。
【請求項２】
内容液の充填空間を有する減容変形可能な内層体と、
上部開口を有する口部を有し前記内層体を内側に納めるとともに該内層体との相互間に空気を導入する外気導入孔を有する外層体と、
前記上部開口を覆うとともに前記充填空間につながる連通口を有する隔壁と、
前記連通口を閉鎖する一方、前記外層体への押圧に伴う前記充填空間への加圧にて該連通口を開放する逆止弁と、
前記口部の上部に設けられ、前記連通口から注出させた内容液を収容するとともに上方に注出口を有する計量室と、を備え、
前記隔壁は、該隔壁に連結して前記口部に嵌合される環状壁を有し、
前記外層体は、前記口部に連結するとともに上方へ向けて延在して該隔壁との間で前記計量室を形成する上部周壁を有する二重容器。
【請求項３】
前記計量室を閉鎖する一方、破断予定溝に沿う引きちぎりによって前記注出口が形成される密閉壁を有するとともに前記上部周壁に装着される注出キャップを備える請求項２に記載の二重容器。
【発明の詳細な説明】
【技術分野】
【０００１】
本発明は、内容液の充填空間を有する減容変形可能な内層体と、内層体をその内側に収める外層体とを備え、内容液の注出に伴って内層体のみが減容する二重容器において、内容液を計量して注出することができるものに関する。
【背景技術】
【０００２】
化粧水などの化粧料や、シャンプーやリンス或いは液体石鹸、また食品調味料や薬品などを内容液として収用する容器としては、内容液の充填空間を有する減容変形可能な内層体と、この内層体を内側に収める外層体とを備える二重容器（デラミ容器、積層剥離容器とも言う）が知られている（例えば特許文献１参照）。この種の二重容器は、容器を傾倒姿勢に変位させて外層体を押圧することで内容液を注出させることができる。また適量を注出した後は、外層体への押圧を解除することで、内容液の注出を停止させることができる。
【先行技術文献】
【特許文献】
【０００３】
【特許文献１】実用新案登録２５５２４８２号公報
【発明の概要】
【発明が解決しようとする課題】
【０００４】
ところで、正確な量の内容液が必要である場合は、一旦計量カップ等に注出させて計量しなければならならず、手間を要している。このため、内容液を計量する機能を有する新たな二重容器が求められている。一方、このような計量機能を有する二重容器であっても、内容液の計量が不要な場合があるため、従来の二重容器と同じようにして注出できることも求められている。
【０００５】
本発明は、このような従来の問題点を解決することを課題とするものであり、その目的は、従来の二重容器のように、傾倒姿勢に変位させた状態で外層体を押圧して内容液を注出させることができ、また、内容液を計量する機能も有する、新たな二重容器を提案するところにある。
【課題を解決するための手段】
【０００６】
本発明の第１の態様は、内容液の充填空間を有する減容変形可能な内層体と、
上部開口を有する口部を有し前記内層体を内側に納めるとともに該内層体との相互間に空気を導入する外気導入孔を有する外層体と、
前記上部開口を覆うとともに前記充填空間につながる連通口を有する隔壁と、
前記連通口を閉鎖する一方、前記外層体への押圧に伴う前記充填空間への加圧にて該連通口を開放する逆止弁と、
前記口部の上部に設けられ、前記連通口から注出させた内容液を収容するとともに上方に注出口を有する計量室と、
前記隔壁との間で前記計量室を形成する筒状壁を有するとともに前記口部に装着される計量部材と、
前記注出口を取り囲んで起立する注出筒を有する注出栓と、
前記注出栓を覆い隠して前記計量部材に装着されるオーバーキャップと、を備える二重容器である。
【０００９】
本発明の第２の態様は、内容液の充填空間を有する減容変形可能な内層体と、
上部開口を有する口部を有し前記内層体を内側に納めるとともに該内層体との相互間に空気を導入する外気導入孔を有する外層体と、
前記上部開口を覆うとともに前記充填空間につながる連通口を有する隔壁と、
前記連通口を閉鎖する一方、前記外層体への押圧に伴う前記充填空間への加圧にて該連通口を開放する逆止弁と、
前記口部の上部に設けられ、前記連通口から注出させた内容液を収容するとともに上方に注出口を有する計量室と、を備え、
前記隔壁は、該隔壁に連結して前記口部に嵌合される環状壁を有し、
前記外層体は、前記口部に連結するとともに上方へ向けて延在して該隔壁との間で前記計量室を形成する上部周壁を有する二重容器である。
【００１０】
前記計量室を閉鎖する一方、破断予定溝に沿う引きちぎりによって前記注出口が形成される密閉壁を有するとともに前記上部周壁に装着される注出キャップを備えることが好ましい。
【発明の効果】
【００１１】
本発明の二重容器は、外層体の上部開口を覆うとともに内層体の充填空間につながる連通口を有する隔壁と、この連通口を閉鎖する一方、外層体への押圧に伴う充填空間への加圧にて連通口を開放する逆止弁と、外層体の口部の上部に設けられ、連通口から注出させた内容液を収容するとともに上方に注出口を有する計量室とを備えるものである。このような構成の二重容器によれば、正立姿勢にしたまま外層体を押圧することで、充填空間の内容液を計量室に移すことができるので、内容液を計量することが可能になる。そして意図した量の内容液を計量した後は、二重容器を傾倒姿勢に変位させることで計量室の内容液を注出口から注出させることができる。また、当初から傾倒姿勢に変位させた状態で外層体を押圧すれば、内容液を計量室に貯留させずに注出口からそのまま注出させることができる。
【図面の簡単な説明】
【００１２】
【図１】本発明に従う二重容器の一実施形態を示す、側面視での断面図である。
【図２】図１の状態から外層体を押圧して内容液を計量する状態を示す図である。
【図３】図２の状態から二重容器を傾倒姿勢に変位させて内容液を注出させている状態を示す図である。
【図４】本発明に従う二重容器の他の実施形態を示す、側面視での断面図である。
【図５】図４の状態から外層体を押圧して内容液を計量する状態を示す図である。
【図６】図５の状態から二重容器を傾倒姿勢に変位させて内容液を注出させている状態を示す図である。
【発明を実施するための形態】
【００１３】
以下、図面を参照して、本発明をより具体的に説明する。なお、本明細書、特許請求の範囲、要約書において、「上」とは、二重容器を水平面上に載置した際（正立姿勢）に外層体に対して注出キャップが位置する側であり、「下」とは、その反対側である。
【００１４】
図１において、符号Ａは、本発明に従う二重容器の一実施形態を示す。二重容器Ａは、内容液を収容する内層体１０と、内層体１０を内側に収める外層体２０とを備えている。また外層体２０の上方には、計量部材３０、逆止弁４０、注出栓５０、オーバーキャップ６０が設けられている。
【００１５】
内層体１０は、その内側に内容液を収容する充填空間Ｓを備えている。内層体１０は薄肉の合成樹脂製であって、減容変形自在となっている。
【００１６】
外層体２０は、可撓性を有するものであって、円形状の底部２１と、底部２１の外縁部から上方に向かって略同径で延在しその後縮径する形状になる胴部２２と、胴部２２の上部に連結する円筒状の口部２３とを一体連結して構成されている。口部２３には、上部開口２３ａが設けられていて、口部２３の外周面には、周方向に沿って延在する（環状であっても間欠状であってもよい）外向き突起２３ｂが設けられている。なお、図示は省略するが、外層体２０には、表裏を貫く貫通孔（外気導入孔）が設けられている。外気導入孔は、底部２１、胴部２２、口部２３の何れに設けてもよい。また外気導入孔には、内層体１０と外層体２０との相互間に空気を導入することができる一方、この相互間からの空気の流出を阻止する逆止弁を設けてもよい。尚、外層体２０の底部２１に外気導入孔を設ける場合には、成形時に形成されるパーティングライン上のリブ（ピンチオフ部）において内層体１０同士を接着し、外層体２０同士を接着しないようにし、外側からパーティングラインを押すと簡単に外層体２０が割れ、スリットが形成される構造とする。これにより、スリットから外気を外層体２０と内層体１０に吸入することができる。
【００１７】
本実施形態において内層体１０と外層体２０は、相互に相溶性が低い合成樹脂を剥離可能に積層させたものであり、これらの合成樹脂素材を積層して形成したパリソンを、ブロー成形することによって得られたものである。ブロー成形の他にも、試験管状に形成したプリフォームを２軸延伸ブロー成形することや、外層体及び内層体を個別に形成し、その後、内層体を外層体内に装着するようにしたものを用いてもよい。また、図示は省略するが、内層体１０と外層体２０との間に、縦方向に延在して内層体１０と外層体２０とを部分的に接合する、１本或いは複数本の接着帯を設けてもよい。
【００１８】
計量部材３０は、上部開口２３ａを覆う隔壁３１を備えている。本実施形態の隔壁３１は、下向きに突出する形状をなすものである。また隔壁３１の中央部下面には、下向きに延びる環状部３１ａが設けられていて、環状部３１ａの内周側には充填空間Ｓにつながる連通口３２が設けられている。更に連通口３２には、周方向に間隔をあけて配置される複数のリブ３１ｂが設けられている。
【００１９】
隔壁３１の上部には、上方に向けて延在する円筒状の筒状壁３３が一体に連結している。筒状壁３３の外周面には、オーバーキャップ６０を保持するための雄ねじ部３３ａが設けられている。ここで、隔壁３１及び筒状壁３３で囲まれる空間は、連通口３２を通して充填空間Ｓの内容液を貯留させることで内容液の計量が可能になる計量室Ｋとして機能する。
【００２０】
また、隔壁３１の上部には、口部２３を周方向に取り囲む円筒状の装着筒３４が一体に連結している。装着筒３４の内周面には、外向き突起２３ｂに係合する内向き突起３４ａが設けられていて、計量部材３０は打栓によって口部２３に装着される。なお、計量部材３０は、外向き突起２３ｂや内向き突起３４ａに替えてねじで装着するようにしてもよい。この場合、計量部材３０を保持するためのねじと、オーバーキャップ６０を保持するためのねじ（雄ねじ部３３ａ及び後述する雌ねじ部６２ａ）とは、逆ねじの関係にすることが好ましい。また、外層体２０に対して計量部材３０が回転しないように、回り止め機構を設けておくことが好ましい。
【００２１】
計量部材３０は、計量室Ｋに導入される内容液の液面高さが視認できるように、少なくとも筒状壁３３の全体或いは一部が透明や半透明になるものである。なお、筒状壁３３には、内容液の液面高さに応じて内容液の量が確認できるように目盛を設けておくことが好ましい。
【００２２】
逆止弁４０は、連通口３２に挿入される支持部４１を有している。支持部４１の下方は径方向外側に向けて膨出しているため、支持部４１は、リブ３１ｂに係合して抜け止め保持される。また支持部４１の上部には、径方向外側に向けて延在する円板状の弁体部４２が設けられている。弁体部４２は、支持部４１がリブ３１ｂに係合した状態において、隔壁３１の上面に当接して連通口３２を閉鎖している。これにより、外気が充填空間Ｓ内に入らないようにしている。なお、充填空間Ｓの内圧が高まれば、弁体部４２は隔壁３１から離反して、連通口３２を開放する。
【００２３】
注出栓５０は、筒状壁３３の上部に装着されるものである。注出栓５０は、筒状壁３３の内周面に保持される環状の嵌合壁５１と、嵌合壁５１に一体に連結する円板状の上壁５２と、上壁５２の中央部を貫通して内容液の出口になる注出口５３と、注出口５３を取り囲んで起立するとともに上端を径方向外側に湾曲させてリップを形成した注出筒５４とを備えている。
【００２４】
オーバーキャップ６０は、円板状の頂壁６１と、頂壁６１の外縁部に一体に連結する外周壁６２とを備えている。また、外周壁６２の内周面には、雄ねじ部３３ａに対応する雌ねじ部６２ａを設けていて、オーバーキャップ６０は計量部材３０に着脱自在に保持される。なお、オーバーキャップ６０を保持するには、これらのねじ部に替えて、アンダーカットを設けてもよい。
【００２５】
このように構成される二重容器Ａによって内容液を計量するには、オーバーキャップ６０を取り外した後、図２に示すように二重容器Ａを正立姿勢にした状態で外層体２０を押圧する。これにより内層体１０は、外層体２０から直接、或いは内層体１０と外層体２０との間の空気を介して押圧されるため、充填空間Ｓが加圧される。そして加圧された内容液が弁体部４２を押し上げて、弁体部４２が隔壁３１から離反する。これにより、充填空間Ｓの内容液は、連通口３２及び複数のリブ３１ｂ間の隙間を通って計量室Ｋに導入される。外層体２０への押圧を解除して充填空間Ｓが元の圧力に戻れば、弁体部４２は直ちに隔壁３１に着座して計量室Ｋへの内容液の流入が停止される。このため、外層体２０への押圧とその解除を繰り返すことで、計量室Ｋで計量される内容液の量を細かく調整することができる。なお、外層体２０への押圧を解除した後は、外層体２０はそれ自身の復元力でもって元の形状に戻ろうとする。この時、内層体１０と外層体２０との相互間には、不図示の外気導入孔から空気が取り込まれるので、内層体１０のみを減容変形させたまま外層体２０が復元する。
【００２６】
そして所期する量を計量した後は、図３に示すように二重容器Ａを傾倒姿勢に変位させる。これにより計量室Ｋの内容液を、注出口５３及び注出筒５４を通して全て注出させることができる。
【００２７】
内容液の計量が必要でない場合は、二重容器Ａを傾倒姿勢にした状態で外層体２０を押圧する。この場合、充填空間Ｓの内容液は、計量室Ｋで貯留されずに注出筒５４からそのまま注出されるため、外層体２０を押圧している間中、内容液を適量注出させることができる。
【００２８】
次に、本発明に従う二重容器の他の実施形態について、図４〜図６を参照しつつ説明する。図４において、符号Ｂは、本発明に従う二重容器の他の実施形態を示す。二重容器Ｂは、内層体１１０、外層体１２０、中栓１３０、逆止弁１４０、注出キャップ１５０で構成されている。
【００２９】
内層体１１０は、前述の内層体１０と同様に、内容液の充填空間Ｓを有し減容変形可能となるものである。
【００３０】
また外層体１２０は、上げ底状に形成された底部１２１と、略円筒状であって、上部を縮径させた胴部１２２と、胴部１２２よりも小径の円筒状になる口部１２３とを備えている。口部１２３は、径方向内側に上部開口１２３ａを備えている。また口部１２３の上部には、上方へ向けて延在し、口部１２３よりも大径になる筒状の上部周壁１２４が設けられている。ここで、外層体１２０の外周面には、胴部１２２及び口部１２３を覆うようにシュリンクフィルムＦが設けられている。なお、シュリンクフィルムＦは任意に設けられるものである。また内層体１１０は、外層体１２０の内面全域（底部１２１から上部周壁１２４の上部開口に至るまで）に設けられている。
【００３１】
中栓１３０は、円板状になる隔壁１３１を備えている。隔壁１３１の中央部には充填空間Ｓにつながる連通口１３２が設けられている。また隔壁１３１の外縁部には、上方に向かって延びる環状壁１３３が連結していて、環状壁１３３の上部には径方向外側に向かって延在するフランジ部１３４が設けられている。環状壁１３３は、上部開口１２３ａにおいて、内層体１１０を挟み込むようにして口部１２３に嵌合保持される。
【００３２】
ここで、隔壁１３１及び上部周壁１２４で囲まれる空間は、内容液の計量が可能になる計量室Ｋとして機能する。なお、少なくとも上部周壁１２４の全体或いは一部は、内容液の液面高さが視認できるように透明或いは半透明になっている。また、筒状壁３３と同様、上部周壁１２４にも目盛を設けておくことが好ましい。
【００３３】
逆止弁１４０は、環状となる基部１４１と円板状の弁体部１４２との間を、本実施形態では３つの弾性片１４３で連結したものであり、所謂三点弁の形態をなすものである。なお、一点弁や二点弁等、種々のものが採用可能である。基部１４１は、環状壁１３３の内周面に嵌合保持される。また弁体部１４２は、連通口１３２を覆って隔壁１３１の上面に着座している。
【００３４】
注出キャップ１５０は、上部周壁１２４の上部開口を覆って計量室Ｋを閉鎖する密閉壁１５１と、上部周壁１２４を周方向に取り囲むとともに上部周壁１２４に嵌合保持されるベース１５２とを備えている。密閉壁１５１には、環状に設けられた破断予定溝１５１ａが設けられている。また、密閉壁１５１の上面において、破断予定溝１５１ａの径方向内側には、上方に向けて起立する脚部１５３が設けられていて、脚部１５３にはプルリング１５３ａが連結している。破断予定溝１５１ａの径方向外側には、注出筒１５４が設けられている。更に注出キャップ１５０は、ヒンジ１５５を介してベース１５２に連結する蓋部１５６を備えている。
【００３５】
このように構成される二重容器Ｂから内容液を注出させるには、蓋部１５６を開いた後、プルリング１５３ａを引き上げて、破断予定溝１５１ａに沿って密閉壁１５１を引きちぎることで注出口１５７（図５参照）を形成しておく。そして内容液を計量する場合は、先に述べた実施形態と同様、図５に示すように二重容器Ｂを正立姿勢にした状態で外層体１２０を押圧することで弁体部１４２が隔壁１３１から離反するので、連通口１３２を通して所定の量の内容液を計量室Ｋに導入することができる。その後は、図６に示すように二重容器Ｂを傾倒姿勢に変位させることで、計量室Ｋの内容液を全て注出させることができる。
【００３６】
また、内容液の計量が必要でない場合は、先に述べた実施形態と同様に、二重容器Ｂを傾倒姿勢にした状態で外層体１２０を押圧すればよい。
【００３７】
本発明に従う二重容器は、本実施形態に限定されるものではなく、特許請求の範囲に従う範囲で種々の変更が可能である。例えば上述した２つの実施形態において、一方の実施形態における構成を他方の実施形態の構成に転用することができる。また、逆止弁４０、注出栓５０、逆止弁１４０、注出キャップ１５０等は、内容液の種類や用途によって種々のものが適用でき、これらに限定されるものではない。
【符号の説明】
【００３８】
１０：内層体
２０：外層体
２１：底部
２２：胴部
２３：口部
２３ａ：上部開口
２３ｂ：外向き突起
３０：計量部材
３１：隔壁
３１ａ：環状部
３１ｂ：リブ
３２：連通口
３３：筒状壁
３３ａ：雄ねじ部
３４：装着筒
３４ａ：内向き突起
４０：逆止弁
４１：支持部
４２：弁体部
５０：注出栓
５１：嵌合壁
５２：上壁
５３：注出口
５４：注出筒
６０：オーバーキャップ
６１：頂壁
６２：外周壁
６２ａ：雌ねじ部
１１０：内層体
１２０：外層体
１２１：底部
１２２：胴部
１２３：口部
１２３ａ：上部開口
１２４：上部周壁
１３０：中栓
１３１：隔壁
１３２：連通口
１３３：環状壁
１３４：フランジ部
１４０：逆止弁
１４１：基部
１４２：弁体部
１４３：弾性片
１５０：注出キャップ
１５１：密閉壁
１５１ａ：破断予定溝
１５２：ベース
１５３：脚部
１５３ａ：プルリング
１５４：注出筒
１５５：ヒンジ
１５６：蓋部
１５７：注出口
Ａ：二重容器
Ｂ：二重容器
Ｆ：シュリンクフィルム
Ｋ：計量室
Ｓ：充填空間
【図１】
0006366465.tif 000002
【図２】
0006366465.tif 000003
【図３】
0006366465.tif 000004
【図４】
0006366465.tif 000005
【図５】
0006366465.tif 000006
【図６】
0006366465.tif 000007